(57)【要約】【課題】導光体の歪みの発生を防ぎ、イメージセンサユニットの光量分布を均一に保つことを目的とする。【解決手段】イメージセンサユニット４は、原稿照明用の光源１０と、光源１０からの光を反射させる反射面１０３と、反射面１０３で反射した光を原稿へ出射する反射面と反対側に設けられた出射面１０２と、を備えた棒状の導光体１１と、導光体１１の反射面１０３を覆うように設けられた熱伝導体１９と、原稿からの反射光を光電変換素子１３に結像する結像素子１２と、光電変換素子１３が実装されたセンサ基板１４と、導光体１１を装着するための位置決め部を有するフレーム１５と、を備える。【選択図】図２
2019103016.tif 000002
【特許請求の範囲】
【請求項１】
原稿照明用の光源と、
前記光源からの光を反射させる反射面と、前記反射面で反射した光を原稿へ出射する前記反射面と反対側に設けられた出射面と、を備えた棒状の導光体と、
前記導光体の反射面を覆うように設けられた熱伝導体と、
前記原稿からの反射光を光電変換素子に結像する結像素子と、
前記光電変換素子が実装されたセンサ基板と、
前記導光体を装着するための位置決め部を有するフレームと、を備えた
イメージセンサユニット。
【請求項２】
前記導光体を支持した状態で前記位置決め部に装着される支持部材を複数備え、
前記複数の支持部材は、少なくとも前記導光体の両端部と中央部を支持する
請求項１に記載のイメージセンサユニット。
【請求項３】
原稿の読み取りを行うイメージセンサユニットを備えた画像読取装置であって、
前記イメージセンサユニットは、
原稿照明用の光源と、
前記光源からの光を反射させる反射面と、前記反射面で反射した光を原稿へ出射する前記反射面と反対側に設けられた出射面と、を備えた棒状の導光体と、
前記導光体の反射面を覆うように設けられた熱伝導体と、
前記原稿からの反射光を光電変換素子に結像する結像素子と、
前記光電変換素子が実装されたセンサ基板と、
前記導光体を装着するための位置決め部を有するフレームと、を備えており、
前記イメージセンサユニットで読み取った原稿の画像データに対してシェーディング補正を行う制御部と、を備えた
画像読取装置。
【請求項４】
前記制御部は、
画像読取装置本体に前記イメージセンサユニットを装着する際に基準部材の表面を読み取って、初期基準値を生成し保存する初期基準値記憶部と、
前記初期基準値を補正して一次シェーディング値を生成する一次シェーディング値生成部と、
前記イメージセンサユニットで原稿の画像を読み取る前に、前記基準部材の表面を読み取って経時基準値を取得し、前記一次シェーディング値を用いて前記取得した経時基準値を補正して二次シェーディング値を生成する二次シェーディング値生成部と、を備え、
前記イメージセンサユニットで読み取った原稿の画像データに対して、前記二次シェーディング値を用いてシェーディング補正を行う
請求項３に記載の画像読取装置。
【請求項５】
前記初期基準値を補正するための状態補正係数を算出する状態補正係数算出部と、を備え、
前記一次シェーディング値生成部は、前記状態補正係数算出部で算出された状態補正係数を用いて前記初期基準値を補正することにより一次シェーディング値を生成する
請求項４に記載の画像読取装置。
【請求項６】
原稿の読み取りを行うイメージセンサユニットを備えた画像読取装置と、
前記画像読取装置で読み取った原稿の画像データに基づいて画像を形成する画像形成部と、を備えた画像形成装置であって、
前記イメージセンサユニットは、
原稿照明用の光源と、
前記光源からの光を反射させる反射面と、前記反射面で反射した光を原稿へ出射する前記反射面と反対側に設けられた出射面と、を備えた棒状の導光体と、
前記導光体の反射面を覆うように設けられた熱伝導体と、
前記原稿からの反射光を光電変換素子に結像する結像素子と、
前記光電変換素子が実装されたセンサ基板と、
前記導光体を装着するための位置決め部を有するフレームと、を備え、
前記画像読取装置は、
前記イメージセンサユニットで読み取った原稿の画像データに対してシェーディング補正を行う制御部と、を備えた
画像形成装置。
【発明の詳細な説明】
【技術分野】
【０００１】
本発明は、イメージセンサユニット、画像読取装置および画像形成装置に関する。
【背景技術】
【０００２】
従来、光電変換素子（イメージセンサ）を使用している画像読取装置において、光学系の不均一性及び撮像素子個々の画素の出力不均一性の補正を行うため、主走査の基準となる基準白板を読み取って主走査分布を補正するシェーディング補正が行われている。
【０００３】
また、密着型のイメージセンサユニット（以下ＣＩＳユニットと呼ぶ）を用いた読み取り時には、コンタクトガラスの端部に取り付けられた基準白板を読み取り、読み取った基準白板データから基準白板にゴミや汚れが付着していることが判明した場合には、出力レベルを調整するシェーディング補正が行われている（特許文献１）。
【先行技術文献】
【特許文献】
【０００４】
【特許文献１】特開２０１５−９１０３６号公報
【発明の概要】
【発明が解決しようとする課題】
【０００５】
しかしながら、ＣＩＳユニットが有する熱源（例えば、センサ基板）の位置によっては、ＣＩＳユニットが有する導光体に局所的な熱が加わり、導光体の一部が歪んでしまうという問題がある。
【０００６】
ＣＩＳユニットの導光体が歪むと光量分布の均一性が崩れるため、実際には基準白板にゴミや汚れが付着していない場合であっても、シェーディング補正において、ゴミや汚れが付着しているとして出力レベルが調整されてしまい、その結果として、黒スジ等の画像ムラが生じてしまうおそれがあった。
【０００７】
そこで、本発明は、導光体の温度分布を一様にすることで、導光体の歪みの発生を防ぎ、イメージセンサユニットの光量分布を均一に保つことを目的とする。
【課題を解決するための手段】
【０００８】
上記課題を解決し、本発明の目的を達成するため、本発明のイメージセンサユニットは、原稿照明用の光源と、光源からの光を反射させる反射面と、反射面で反射した光を原稿へ出射する反射面と反対側に設けられた出射面と、を備えた棒状の導光体と、導光体の反射面を覆うように設けられた熱伝導体と、原稿からの反射光を光電変換素子に結像する結像素子と、光電変換素子が実装されたセンサ基板と、導光体を装着するための位置決め部を有するフレームと、を備える。
【０００９】
また、本発明の画像読取装置は、原稿照明用の光源と、光源からの光を反射させる反射面と、反射面で反射した光を原稿へ出射する反射面と反対側に設けられた出射面と、を備えた棒状の導光体と、導光体の反射面を覆うように設けられた熱伝導体と、原稿からの反射光を光電変換素子に結像する結像素子と、光電変換素子が実装されたセンサ基板と、導光体を装着するための位置決め部を有するフレームと、を備えたイメージセンサユニットと、イメージセンサユニットで読み取った原稿の画像データに対してシェーディング補正を行う制御部と、を備える。
【００１０】
また、本発明の画像形成装置は、画像読取装置で読み取った原稿の画像データに基づいて画像を形成する画像形成部と、を備え、画像読取装置は、原稿照明用の光源と、光源からの光を反射させる反射面と、反射面で反射した光を原稿へ出射する反射面と反対側に設けられた出射面と、を備えた棒状の導光体と、導光体の反射面を覆うように設けられた熱伝導体と、原稿からの反射光を光電変換素子に結像する結像素子と、光電変換素子が実装されたセンサ基板と、導光体を装着するための位置決め部を有するフレームと、を備えたイメージセンサユニットと、イメージセンサユニットで読み取った原稿の画像データに対してシェーディング補正を行う制御部と、を備える。
【発明の効果】
【００１１】
本発明によれば、イメージセンサユニットの導光体の歪みの発生を防ぎ、光量分布を均一に保つことができる。
【図面の簡単な説明】
【００１２】
【図１】本発明の一実施の形態に係る画像読取装置の構成例を示す図である。
【図２】本発明の一実施の形態に係るイメージセンサユニットの構成例を示す図である。
【図３】本発明の一実施の形態に係るイメージセンサユニットの一部構成例を示す斜視図である。
【図４】本発明の一実施の形態に係るイメージセンサユニットの一部構成例を示す斜視分解図である。
【図５】本発明の一実施の形態に係るイメージセンサユニットの一部構成例を示す正面図である。
【図６】本発明の一実施の形態に係るイメージセンサユニットの導光体の一部断面図である。
【図７】本発明の一実施の形態に係る画像読取装置の画像読取部の機能構成例を説明するブロック図である。
【図８】本発明の一実施の形態に係るイメージセンサユニットの光電変換素子の機能構成例を示すブロック図である。
【図９】本発明の一実施の形態に係る画像読取装置の機能構成例を説明するブロック図である。
【図１０】本発明の一実施の形態に係る画像読取装置のシェーディング補正の処理動作の一例を示すフローチャート図である。
【図１１】本発明の一実施の形態に係る画像形成装置の構成例を示す図である。
【発明を実施するための形態】
【００１３】
以下に、本発明の実施形態例（以下、本例という）に係るイメージセンサユニット、画像読取装置、および画像形成装置の一例を、図面を参照しながら説明する。なお、以下の各実施形態では、密着型のイメージセンサユニット（以下、ＣＩＳユニットという）を使用している画像読取装置を例にあげて説明する。
【００１４】
図１は、画像読取装置の構成例を示す図である。図１に示すように、画像読取装置１は、画像読取部１００と、自動原稿給送装置２００とを備える。画像読取部１００は、コンタクトガラス１０１と、基準部材１１０と、ＣＩＳユニット４とを備えている。
【００１５】
コンタクトガラス１０１は、スキャン読み取りモードの時に原稿を載置する透明部材である。スキャン読み取りモードとは、コンタクトガラス１０１上に置かれた原稿に対して、キャリッジ等でＣＩＳユニットを、図１に示す、矢示Ａ方向（副走査方向）へ移動させながら、その原稿の下面の画像を読み取るモードである。
【００１６】
コンタクトガラス１０１の端部に設けられた基準部材１１０は、読取光学系等による各種の歪みを補正する。基準部材１１０は、例えば、シェーディング補正用のシェーディングデータを得るために、原稿の画像データを読み取る前に読み取られる白板であり、画像読み取りの主走査方向に沿って設けた下面が白色の細長い板状の部材である。すなわち、シェーディング補正を行うために、予め光電変換素子１３で基準部材（白板）１１０を読み取って画像データの濃淡の基準となる白基準データを取得する。本例では、まず、出荷時のクリーンな状態のデータとして、ＣＩＳユニット４を画像読取部１００に装着した際の白基準データ（初期基準値）を取得する。取得した初期基準値は、データ記憶部２４に保存される。
【００１７】
自動原稿給送装置２００は、原稿を連続的に搬送する自動原稿給送手段である。以下、自動原稿給送装置２００を、ＡＤＦ（Ａｕｔｏ  Ｄｏｃｕｍｅｎｔ  Ｆｅｅｄｅｒ）２００と表記する。ＡＤＦ２００は、画像読取部１００の上部に搭載されており、ＡＤＦ２００をコンタクトガラス１０１に対して開閉できるように、図示しないヒンジ等を介して連結している。
【００１８】
ＡＤＦ２００は、原稿トレイ２０１と、給送ローラー２０２とを備えている。原稿トレイ２０１は、複数枚の原稿からなる原稿束Ｓを載置可能な原稿載置台である。給送ローラー２０２は、原稿トレイ２０１に載置された原稿束から原稿を１枚ずつ分離して自動給送する。なお、自動給送された原稿の画像を読み取るシートスルー読み取りモードの場合は、ＣＩＳユニット４が図示しないシートスルー読み取り用スリットの下側に移動して、自動給送されてくる原稿の下面の画像を読み取る。
【００１９】
つぎに、本例のイメージセンサユニットであるＣＩＳユニット４について、図面を用いて詳細に説明する。
図２は、ＣＩＳユニット４の副操作方向における概略断面図である。
図２に示すように、ＣＩＳユニット４は、フレーム１５に収納された一対の導光体１１を備えている。導光体１１の間には結像素子１２が設けられおり、その下方には光電変換素子１３が載置されたセンサ基板１４が配置されている。また、結像素子１２の上方にはカバーガラス１７が設置されている。導光体１１の一端部には光源１０が設けられ、導光体１１の下部には熱伝導体１９が設けられている。
【００２０】
図３は、ＣＩＳユニット４の一部の構成例を示す斜視図である。
図３では、図示を簡便にするために光源１０と導光体１１とからなる照明装置が一組で構成された例を示している。
原稿照明用の光源１０は、例えば、少なくとも赤緑青３色の発光波長を持つＬＥＤからなる発光素子を備えており、これらの発光素子を順次点灯駆動することにより光を照射する。光源１０は、光源１０から照射された光を原稿（不図示）へと導く導光体１１の長手方向の一方の端面に配置されている。
【００２１】
結像素子としてのロッドレンズアレイ１２は、正立等倍結像型レンズ素子が複数配列されたものであり、原稿からの反射光を光電変換素子１３に結像するものである。なお、結合素子としてマイクロレンズアレイを用いることができる。
ロッドレンズアレイ１２で結像された反射光（原稿画像）を電気信号に変換する光電変換素子１３は、読み取る原稿幅に対応出来る数が配列されており、センサ基板１４に実装されている。これらの光学的構成部品が、構造的部材であるフレーム１５に取り付けられＣＩＳユニット４として組立てられる。
【００２２】
導光体１１は、例えば、有機ガラスと呼ばれるアクリル樹脂やポリカーボネート等の透明プラスチックから成形したものが用いられる。光源１０は、その光が効率よく導光体１１に入光できるように、導光体１１の長手方向（主走査方向）の一方の端面（入光面）に対向して配置されている。
【００２３】
光が出射される出射面１０２は、導光体１１の長手方向に沿い、且つ原稿（不図示）に対向するように形成された面であり、本例では曲面で構成されている。出射面１０２では、出射面１０２に対向して設けられた反射面１０３で散乱した光を主に出射して原稿を照明するものである。
【００２４】
本例では、反射面１０３を覆うように熱伝導性部材１９が設けられている。導光体１１の反射面１０３を覆うように熱伝導性部材１９を設けることにより、導光体１１に加えられた熱の分布を一様とすることができ、これにより導光体１１の一部が熱で歪むことを帽子できる。熱伝導部材１９としては、例えば、シリコンゴム等で形成されたシート状の部材を用い、これを両面テープ等により反射面１０３に貼り付ける。また、ゲル状物質のように材料自体が粘着性を有する熱伝導部材を用いても良い。なお、熱伝導部材としては、柔軟性や密着性に優れているものを用いるのが好ましい。
【００２５】
ここで、本例のＣＩＳユニット４について、図４を用いて詳細に説明する。図４は、本例のＣＩＳユニット４の構造を示す分解斜視図である。
【００２６】
図４に示すように、ＣＩＳユニット４の構成部品を収納するフレーム１５内には、光源１０、導光体１１、支持部材としてのホルダ１６等の構成部品が所定の位置関係で夫々取り付け支持されている。また、フレーム１５の底部には、導光体１１を収納する位置決め部として係止溝１８が設けられている。本例では、係止溝１８の数は３個であるが、係止溝１８の数は特に限定されない。
【００２７】
導光体１１を支持固定するためのホルダ１６は、Ｙ字状に形成されている。ホルダ１６は、導光体１１とフレーム１５に設けられた係止溝１８との間に夫々間挿されることで、導光体１１を保持しつつ、導光体１１をフレーム１５に固定収納するものである。
本例のホルダ１６は、例えば合成樹脂で形成されており、係止溝１８に挿入される部分と導光体１１を保持するアーム部１６ａとで構成されている。また、アーム部１６ａは、導光体１１を保持した際に導光体１１の出射面１０２を開放するような長さで構成されている。
また、アーム部１６ａは弾力性を有するように構成されており、アーム部１６ａに導光体１１を嵌合させた際に、ある程度の力で導光体１１を保持することができる。
【００２８】
原稿と対向する側であるＣＩＳユニット４の上部に取り付けたカバーガラスは、フレーム１５内へのゴミの進入等を防ぐためのである。なお、カバーガラス１７の材質はガラスに限らず、同等の強度を有する他の透明部材であっても構わない。
【００２９】
図５は、本例のＣＩＳユニット４においてホルダ１６に支持された状態の導光体１１を主走査方向から見た際の正面簡略図である。
本例の導光体１１は、ホルダ１６によって、少なくとも中央部と両端部の３箇所が支持されている。このように、導光体１１の中央部をホルダ１６により支持することで、導光体１１が上方に弓状に反ることを防ぐことができる。また、導光体１１の両端部をホルダ１６により支持することで、導光体１１が下方に弓状に反ることを防ぐことができる。従って、熱源の場所によらず、導光体１１の反りを効果的に抑えることができる。
【００３０】
また、図５に示すように、導光体１１がホルダ１６によって支持されている状態において、導光体１１の出射面１０２がホルダ１６によって妨げられることなく開放されている状態を保つことができるので、導光体１１から取り出される光量が落ちてしまうことを防止できる。
【００３１】
図６は、本例のＣＩＳユニット４の導光体１１の主走査方向における一部断面図である。
図６に示すように、光源１０から出射された光Ｌは導光体１１の端部（入光面）から入射して、導光体１１内を全反射しながら主走査方向に伝搬する。光源１０から入射した光Ｌが導光体１１の主走査方向に伝搬する際には、導光体１１の反射面１０３において、レーザーカットで等間隔にＶ溝状に形成された反射パターン１０４で散乱反射される。反射パターン１０４で反射された光は、反射パターン１０４に対向する位置にある出射面１０２から原稿に照射される。
【００３２】
このとき、センサ基板１４に設けられている光電変換素子１３のような熱源により、反射パターン１０４が形成されている部位に局所的な熱が加えられると、反射パターン１０４の一部が変形して、出射面１０２から出射する光の光量分布が一様でなくなるという問題が生じる。
【００３３】
本例のＣＩＳユニット４によれば、導光体１１の反射面１０３を熱伝導部材１９で覆っているので、熱源により反射面１０３に局所的な熱が加えられた場合であっても、加えられた熱の温度分布を一様にすることができる。これにより、導光体１１の反射面１０３の反射パターン１０４が変形することを防ぐことができ、導光体１１の出射面１０２から出射する光の光量分布を均一な状態に保つことができる。すなわち、本例のイメージセンサユニットによれば、導光体１１の温度分布を一様に保つことで、導光体１１が局所的な熱によって歪んでしまうことを防ぎ、イメージセンサの光量分布を均一にすることができる。
【００３４】
次に、本例の画像読取装置１の画像読取部１００の機能構成例について説明する。図７は、本例に係る画像読取装置１の画像読取部１００の機能構成例を説明するブロック図である。
【００３５】
図７に示すように、画像読取部１００は、ＣＩＳユニット４が有する光源１０と、光電変換素子１３と、シェーディング補正部２３と、原稿検知センサ３４とを含んでいる。
【００３６】
画像読取部１００は、ＣＩＳユニット４の光源１０からの照射光によって被写体（原稿、白板１１０）を照明し、その被写体からの反射光を光電変換素子１３で電気信号に光電変換を行い、デジタル信号として出力する。また、光電変換素子１３から出力されたデジタル信号の中で原稿を読み取った原稿データ及び白板１１０を読み取った白基準データは、シェーディング補正部２３へと伝送され、シェーディング補正部２３を形成する回路によって、各々の処理が行われる。最終的にシェーディング補正部２３でシェーディング補正を行った原稿データは、その後、図示しない、後段処理部に伝送される。後段処理部では、ドット補正や色補正等の各種補正や、変倍等、その他、画像処理が行われるが、一般的な処理と同様のため詳細説明は省略する。なお、本例の白基準データとしては、ＣＩＳユニット４を画像読取部１００に装着した直後に白板１１０から読み取られる初期基準値と、ＣＩＳユニット４で原稿画像を読み取る前に白板１１０から読み取られる経時基準値とを含む。
【００３７】
また、原稿検知センサ３４は、図１では図示していないが、ＡＤＦ２００内部にあり、原稿がセットされたことを検知して、原稿検知信号を出力する。
【００３８】
次に、光電変換素子１３について説明する。図８は、光電変換素子１３の機能構成例を示すブロック図である。図８に示すように、光電変換素子１３は、主走査方向に並ぶ所定数（複数）の受光素子２０と、画素信号出力部２２とを含む。なお、所定数は任意である。光電変換素子１３は、光源１０から被写体（原稿、白板１１０）に光を照射して被写体からの反射光を光電変換し、被写体の画像データを読み取る。光電変換素子１３は、受光素子２０が主走査方向に複数個配列された、例えばＣＭＯＳ（Ｃｏｍｐｌｅｍｅｎｔａｒｙ  ＭＯＳ）等のイメージセンサから構成される。受光素子２０は、光検出器として働く半導体のダイオードである。光電変換素子１３内には、複数の受光素子２０が主走査画素の数分（０画素〜ｎ画素）配列されている。各画素に相当する受光素子２０で、光源１０から被写体に照射された光の反射光を電気信号に変換（光電変換）し、電荷を蓄積する。その後、蓄積電荷は図示していない、増幅器やＡ／Ｄ変換器等での処理を経て、デジタル信号として、画素信号出力部２２へ伝送される。
【００３９】
上記処理により、１ラインの画像データを原稿ライン分、複数回行うことで、１次元のラインセンサ（例えば、ＣＭＯＳイメージセンサ等）により２次元の読取データを取得することができる。
【００４０】
上記のように構成された画像読取装置１において、原稿の画像面をスキャン（走査）して原稿の画像を読み取るスキャン読み取りモード時には、図示しないキャリッジがステッピングモータによって矢示Ａ方向（副走査方向）に移動する。同時に、コンタクトガラス１０１上にセットされた原稿の下面である画像面がキャリッジに連結されたＣＩＳユニット４の光源１０によって照明（露光）される。画像面からの反射光像が、ＣＩＳユニット４の光電変換素子１３へ順次送られて結像される。光電変換素子１３の光電変換により信号が出力され、図示しない、後段の信号処理部によりデジタル信号に変換される。これによって、原稿の画像が読み取られ、デジタルの画像データが得られる。
【００４１】
次に、本例の画像読取装置１の機能構成例について説明する。図９は、本例に係る画像読取装置１の機能構成例を説明するブロック図である。
【００４２】
図９に示すように、画像読取装置１は、ＣＩＳユニット４に接続された、シェーディング補正部２３と、データ記憶部２４と、状態補正係数算出部２５と、制御部３０とを含む。シェーディング補正部２３には、一次シェーディング値生成部２６と、二次シェーディング値生成部２７が含まれる。また、データ記憶部２４には、初期基準値記憶部２８と状態補正係数テーブル２９が含まれる。
【００４３】
シェーディング補正部２３は、白基準データ（初期基準値、経時基準値）に基づいて、ＣＩＳユニット４読み取った原稿の画像データに対してシェーディング補正を行う。
一次シェーディング値生成部２６は、初期基準値を補正して一次シェーディング値を生成する。二次シェーディング値生成部２７は、経時基準値を補正して二次シェーディング値を生成する。
【００４４】
データ記憶部２４は、シェーディング補正を行うために必要な各種データ、例えば後述する状態補正係数テーブルを保存する。また、初期基準値記憶部２８には、画像読取部１００にＣＩＳユニット４を装着した際の白基準データが初期基準値として記憶されている。
【００４５】
状態補正係数算出部２５は、例えば、画像読取装置１の稼働状況に基づいて、一次シェーディング値を補正するための状態補正係数を算出する。状態補正係数算出部２５により算出された状態補正係数はデータ記憶部２４に保存される。また、表１に示すような状態補正係数を決定するための状態補正係数テーブルを予め作成し、データ記憶部２４に保存させでもよい。なお、画像読取装置１を備えた画像形成装置３００の稼働状況に基づいて、状態補正係数を決定してもよい。
【００４６】
【表１】
2019103016.tif 000003
【００４７】
表１に示すように、状態補正係数テーブルの状態補正係数は、装置に設けられたタイマーで計測された装置の稼働時間と、装置に設けられたカウンタでカウントされた原稿カウント数とに基づいて決定される。例えば、稼働時間１で原稿カウンタ数０のデータＡの場合は、稼働時間１０で原稿カウンタ数１００のデータＤよりも、状態補正係数が小さくなるように設定されている。すなわち、本例では、稼働時間、原稿カウンタ数が大きくなるにつれて、導光体１１の反りが大きくなるものとして、状態補正係数が大きくなるように設定されている。
【００４８】
制御部３０は、データ記憶部２４のデータを参照して、シェーディング補正部２３に原稿の画像データ（読み込み画像）に対するシェーディング補正を実行させる。また、制御部３０は、ＣＩＳユニット４の移動を含む装置全体の制御を実行する。
【００４９】
本例の画像読取装置１によれば、状態補正係数を用いることにより、精度のよいシェーディング補正を行うことができる。また、シェーディング補正に使用するメモリ容量を減らし、シェーディング補正の処理速度を速くすることができる。
【００５０】
次に、フローチャートを用いて、本例の画像読取装置１の動作例について説明する。
図１０は、本例の画像読取装置１のシェーディング補正の処理動作の一例を示すフローチャート図である。
【００５１】
図１０に示すように、画像読取装置１の状態補正係数算出部２５により状態補正係数を決定する（ステップＳ１）。なお、状態補正係数を決定する際には、データ記憶部２４に保存されている状態補正係数テーブルを用いて決定してもよい。
【００５２】
次に、一次シェーディング値生成部２６により、データ記憶部２４に保存されている白基準データ（初期基準値）を呼び出して、ステップＳ１で決定した状態補正係数を用いて補正し、一次シェーディング値を生成する（ステップＳ２）。
【００５３】
次に、ＣＩＳユニット４により白板１１０を読み取って、原稿の画像を読み取る前の白基準データ（経時基準値）を取得する（ステップＳ３）。さらに、二次シェーディング値生成部２７により、ステップＳ３で取得した白基準データを、ステップＳ２で生成した一次シェーディング値で補正して、二次シェーディング値を生成する（ステップＳ４）。
【００５４】
次に、ＣＩＳユニット４により、原稿の読み取りを行う（ステップＳ５）。
【００５５】
次に、制御部３０は、ステップＳ５で読み取った原稿の画像データに対してステップＳ４で生成した二次シェーディングを用いて、シェーディング補正部２３にシェーディング補正を実行させる。
【００５６】
以上の処理を画像読取装置１に実行させることにより、経時によりゴミや埃等が白板１１０に付着してしまった場合であっても、ゴミ等の影響を除外した状態でシェーディング補正を実行することができる。さらに、本例の画像読取装置１によれば、ＣＩＳユニット４の導光体１１の光量分布を均一に保つので、状態補正係数を用いることができ、より正確なシェーディング補正の処理を実行することができる。これにより、黒スジ等の画像ムラの発生を防ぐことができる。
【００５７】
次に、本例の画像読取装置１を搭載した画像形成装置３００について説明する。図１１は、本例に係る画像形成装置の機構部の簡略した構成例を示す図である。図１１に示すように、画像形成装置３００は、図１に示した画像読取装置１を搭載した、例えばデジタル複写機を一例として説明する。画像読取装置１には、図１に示した画像読取部１００と、図２に示したＣＩＳユニット４が内蔵されている。画像形成装置３００の装置本体３０１には、画像形成部３０２と給紙部３０３が設けられている。画像形成装置３００は、画像読取装置１で読み取った原稿の画像データに基づいて、画像形成部３０２を用いて、給紙部３０３から給紙される用紙に対して画像を形成する。
【００５８】
本例の画像形成装置３００によれば、正確なシェーディング補正の処理を行うので、画像形成時において発生する用紙に対する黒スジ等の画像ムラを防ぎ、高品質な画像を形成することができる。
【００５９】
なお、上述した実施形態例は、本発明を分かりやすく説明するために詳細に説明したものであり、必ずしも説明した全ての構成を備えるものに限定されるものではない。例えば、ある実施形態の構成の一部を他の実施形態の構成に置き換えることが可能であり、また、ある実施形態の構成について他の実施形態の構成を加えることも可能である。また、各実施形態の構成の一部について、他の構成の追加・削除・置換をすることが可能である。
【符号の説明】
【００６０】
１・・・画像読取装置、４・・・ＣＩＳユニット（イメージセンサユニット）、１０・・・光源、１１・・・導光体、１２・・・レンズアレイ、１３・・・光電変換素子、１４・・・センサ基板、３４・・・、１５・・・フレーム、１６・・・ホルダ、１７・・・カバーガラス、１８・・・係止溝、１９・・・熱伝導体、２３・・・シェーディング補正部、２４・・・データ記憶部、２５・・・状態補正係数算出部、２６・・・一次シェーディング値生成部、２７・・・二次シェーディング値生成部、２８・・・初期基準値記憶部、２９・・・状態補正係数テーブル、３４・・・原稿検知センサ、１００・・・画像読取部、１０１・・・コンタクトガラス、１０２・・・出射面、１０３・・・反射面、１１０・・・基準部材（白板）、２００・・・ＡＤＦ、２０１・・・原稿トレイ、２０２・・・給送ローラー、３００・・・画像形成装置
【図１】
2019103016.tif 000004
【図２】
2019103016.tif 000005
【図３】
2019103016.tif 000006
【図４】
2019103016.tif 000007
【図５】
2019103016.tif 000008
【図６】
2019103016.tif 000009
【図７】
2019103016.tif 000010
【図８】
2019103016.tif 000011
【図９】
2019103016.tif 000012
【図１０】
2019103016.tif 000013
【図１１】
2019103016.tif 000014